(57)【要約】【課題】従来の給湯風呂装置では、逆流防止装置にゴミが噛み込んだ場合には、自動お湯はり運転時に逆流防止装置の大気開放口からお湯が機外へ流出し続けるという課題を有していた。【解決手段】逆流防止装置２１と逆止弁２２との間に追焚回路に供給する流量を検知する注湯用流量センサー２３を備えたものである。上記発明によれば、注湯用流量センサー２３の検知する流量により逆流防止装置２１からの流出を検知できるものである。【選択図】  図１
2004170020.tif 000002
【特許請求の範囲】
【請求項１】
給湯用熱交換器と、給湯の流量を検知する給湯用流量センサーと、給湯出湯側に設け前記給湯用熱交換器で加熱された湯を追焚回路に給湯する注湯電磁弁と、前記注湯電磁弁の下流に設けられた逆流防止装置と、前記逆流防止装置の下流に設けられた逆止弁とを備えて、前記逆流防止装置と前記逆止弁との間に前記追焚回路に供給する流量を検知する注湯用流量センサーを備えた給湯風呂装置。
【請求項２】
注湯電磁弁が開の状態のとき、給湯用流量センサーと注湯用流量センサーの流量を比較し、前記注湯用流量センサーの検知流量が前記給湯用流量センサーの検知流量より所定の値少ない場合、前記注湯電磁弁を閉じる制御手段を備えた請求項１記載の給湯風呂装置。
【請求項３】
注湯電磁弁が開の状態のとき、給湯用流量センサーと注湯用流量センサーの流量を比較し、前記注湯用流量センサーの検知流量が前記給湯用流量センサーの検知流量より所定の値少ない場合、前記注湯電磁弁を閉じ、故障表示する制御手段を備えた請求項１記載の給湯風呂装置。
【発明の詳細な説明】
【０００１】
【発明の属する技術分野】
本発明は、給湯用熱交換器で加熱された湯を追焚回路に給湯する注湯電磁弁を備えた給湯風呂装置に関するものである。
【０００２】
【従来の技術】
従来この種の給湯風呂装置は、図３に示すように注湯用流量センサーは注湯電磁弁の上流側に設けられている。
【０００３】
すなわち、給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【０００４】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【０００５】
次に追焚運転時には、循環ポンプ１３により浴槽１４の浴槽水１５は、追焚戻り通路１６を経て流水検知部１７にて循環を検知されると、燃焼用ファン３が回転し、ガス元電磁弁４、ガス比例弁５が開き、バーナ６に着火し、追焚用熱交換器１８で加熱され追焚往き通路１９から浴槽１４へ循環される。
【０００６】
次に自動お湯はり運転時には、給湯用熱交換器７で加熱された湯は、注湯電磁弁２０が開き、逆流防止装置２１、逆止弁２２を経て追焚戻り通路１６から浴槽１４へ供給される。
【０００７】
ここで、お湯はりの流量は注湯電磁弁２０の上流側に設けられた注湯用流量センサー２３により検知される構成となっている（例えば、特許文献１参照。）。
【０００８】
【特許文献１】
特公平７−９４９２９号公報（第１図）
【０００９】
【発明が解決しようとする課題】
しかしながら、従来の給湯風呂装置では、逆流防止装置にゴミが噛み込んだ場合には、自動お湯はり運転時に逆流防止装置の大気開放口からお湯が機外へ流出し続けるという課題を有していた。
【００１０】
【課題を解決するための手段】
本発明は上記課題を解決するために、逆流防止装置と逆止弁との間に追焚回路に供給する流量を検知する注湯用流量センサーを備えたものである。
【００１１】
上記発明によれば、注湯用流量センサーの検知する流量により逆流防止装置からの流出を検知できるものである。
【００１２】
【発明の実施の形態】
請求項１記載の発明は、給湯用熱交換器と、給湯の流量を検知する給湯用流量センサーと、給湯出湯側に設け前記給湯用熱交換器で加熱された湯を追焚回路に給湯する注湯電磁弁と、前記注湯電磁弁の下流に設けられた逆流防止装置と、前記逆流防止装置の下流に設けられた逆止弁とを備えて、前記逆流防止装置と前記逆止弁との間に前記追焚回路に供給する流量を検知する注湯用流量センサーを備えているため逆流防止装置からの流出を検知することができる。
【００１３】
請求項２記載の発明は、注湯電磁弁が開の状態のとき、給湯用流量センサーと注湯用流量センサーの流量を比較し、前記注湯用流量センサーの検知流量が前記給湯用流量センサーの検知流量より所定の値少ない場合、前記注湯電磁弁を閉じる制御手段を備えているため、自動お湯はり運転時に逆流防止装置の大気開放口からお湯が機外へ流出し続けることを防止することが可能となる。
【００１４】
請求項３記載の発明は、注湯電磁弁が開の状態のとき、給湯用流量センサーと注湯用流量センサーの流量を比較し、前記注湯用流量センサーの検知流量が前記給湯用流量センサーの検知流量より所定の値少ない場合、前記注湯電磁弁を閉じ、故障表示する制御手段を備えているため、自動お湯はり運転時に逆流防止装置の大気開放口からお湯が機外へ流出し続けることを防止して機器の使用者に異常の発生を通知することが可能となる。
【００１５】
【実施例】
以下、本発明の実施例について図面を用いて説明する。なお、従来例と同一部品には同一番号を付し説明する。
【００１６】
（実施例１）
図１は本発明の実施例１の給湯風呂装置の構成図である。
【００１７】
給湯運転時には、給湯栓１を開くと給湯用流量センサー２が通水を検知した後、燃焼用ファン３が回転し、ガス元電磁弁４、ガス比例弁５が開き、バーナ６に着火し、給湯用熱交換器７で加熱される。
【００１８】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【００１９】
次に追焚運転時には、循環ポンプ１３により浴槽１４の浴槽水１５は、追焚戻り通路１６を経て流水検知部１７にて循環を検知されると、燃焼用ファン３が回転し、ガス元電磁弁４、ガス比例弁５が開き、バーナ６に着火し、追焚用熱交換器１８で加熱され追焚往き通路１９から浴槽１４へ循環される。
【００２０】
次に自動お湯はり運転時には、給湯用熱交換器７で加熱された湯は、注湯電磁弁２０が開き、逆流防止装置２１、注湯用流量センサー２３、逆止弁２２を経て追焚戻り通路１６から浴槽１４へ供給される。
【００２１】
ここで、お湯はりの流量は注湯用流量センサー２３により検知される構成となっている。
【００２２】
図２は本発明の実施例１の給湯風呂装置の逆流防止装置２１を示す部品構造図である。２４は圧力室で圧力導入管２５により給水元圧を導いている。２６はダイアフラム、２７は大気開放弁でゴム等の弁体２８を有している。２９は大気開放口、３０はスプリング、３１はお湯はり循環通路である。
【００２３】
以上のように構成された給湯風呂装置について、以下その動作、作用を説明する。
【００２４】
通常、自動お湯はり運転時には、圧力導入管２５から給水元圧が圧力室２４にかかり、お湯はり循環通路３１内との圧力差によりダイアフラム２６は、お湯はり循環通路３１側に移動するため大気開放弁２７は閉止の方向に押され弁体２８により大気開放口２９とお湯はり循環通路３１とは連通しない構成となっている。
【００２５】
ここで、上記弁体２８にゴミ等が噛み込むと、大気開放口２９とお湯はり循環通路３１とが連通するため、自動お湯はり運転時、お湯が大気開放口２９から機外へ流出し続ける。
【００２６】
一方、注湯用流量センサー２３は逆流防止装置の下流に設けられているため、給湯回路８に設けられた総流量を検知する給湯用流量センサー２との検知流量に差が生じ、給湯用流量センサー２と注湯用流量センサー２３の流量を比較すると、逆流防止装置からの流出を検知することが可能となる。
【００２７】
（実施例２）
本発明の実施例２は、前記実施例１で、注湯電磁弁２０が開の状態のとき、給湯用流量センサー２と注湯用流量センサー２３の流量を比較し、注湯用流量センサー２３の検知流量が給湯用流量センサー２の検知流量より所定の値より少なくなると、注湯電磁弁２０を閉じる制御手段３２を備えているため、自動お湯はり運転時に逆流防止装置の大気開放口からお湯が機外へ流出し続けることを防止することが可能となる。
【００２８】
（実施例３）
本発明の実施例３は、前記実施例１で、注湯電磁弁２０が開の状態のとき、給湯用流量センサー２と注湯用流量センサー２３の流量を比較し、注湯用流量センサー２３の検知流量が給湯用流量センサー２の検知流量より所定の値より少なくなると、注湯電磁弁２０を閉じる制御手段３２を備え、更に遠隔操作用リモコン１０に故障表示する制御手段を備えているため、自動お湯はり運転時に逆流防止装置の大気開放口からお湯が機外へ流出し続けることを防止して機器の使用者に異常の発生を早期に通知することが可能となる。
【００２９】
【発明の効果】
以上のように本発明によれば、逆流防止装置の弁体にゴミ等が噛み込み、逆流防止装置の大気開放口とお湯はり循環通路とが連通してお湯が大気開放口から機外へ流出しても、注湯用流量センサーは逆流防止装置の下流に設けられているため、給湯回路に設けられた総流量を検知する給湯用流量センサーとの検知流量を比較して、逆流防止装置からの流出を検知することが可能となるという効果が得られる。
【００３０】
さらに、注湯用流量センサーの検知流量が給湯用流量センサーの検知流量より所定の値より少なくなると、注湯電磁弁を閉じ、故障表示する制御手段を備えているため、自動お湯はり運転時に逆流防止装置の大気開放口からお湯が機外へ流出し続けることを防止するとともに機器の使用者に異常の発生を早期に通知することが可能となる。
【図面の簡単な説明】
【図１】本発明の実施例１〜３における給湯風呂装置を示す構成図
【図２】本発明の実施例１の逆流防止装置の部品構造図
【図３】従来の給湯風呂装置を示す構成図
【符号の説明】
２  給湯用流量センサー
７  給湯用熱交換器
２０  注湯電磁弁
２１  逆流防止装置
２２  逆止弁
２３  注湯用流量センサー
３２  制御手段
【図１】
2004170020.tif 000003
【図２】
2004170020.tif 000004
【図３】
2004170020.tif 000005